(57)【要約】【課題】  本発明は、装置内の接続及びモジュールの実装位置について自由度を有するＷＤＭ伝送装置の提供を目的とする。【解決手段】  本発明のＷＤＭ伝送装置は、送受信手段（90-1〜90-n）、接続手段（10,11）、制御手段（12）を備える。送受信手段は所定の波長の光信号を送受信する。接続手段は、所定のスロットと予め接続され、スロットに搭載された送受信手段の送受信する光信号が入出力されるシステム側ポートと、波長分割多重光信号として伝送される所定の波長の光信号が入出力される伝送路側ポートとをそれぞれ複数有し、与えられた接続指令に応じて、システム側ポートと伝送路側ポートとの間の経路を設定する。制御手段は、スロットの番号を示す情報と、送受信手段の送受信する光信号の波長の情報とに基づき、システム側ポートに入出力される光信号の波長と、伝送路側ポートに入出力される光信号の波長とが一致する経路を設定するように、接続手段に対して接続指令を与える。【選択図】  図１
2010041660.tif 000002
【特許請求の範囲】
【請求項１】
所定の波長の光信号を送受信する送受信手段と、
所定のスロットと予め接続され、前記スロットに搭載された前記送受信手段の送受信する光信号が入出力されるシステム側ポートと、波長分割多重光信号として伝送される所定の波長の光信号が入出力される伝送路側ポートとをそれぞれ複数有し、与えられた接続指令に応じて、前記システム側ポートと前記伝送路側ポートとの間の経路を設定する接続手段と、
前記スロットの番号を示す情報と、前記送受信手段の送受信する光信号の波長の情報とに基づき、前記システム側ポートに入出力される光信号の波長と、前記伝送路側ポートに入出力される光信号の波長とが一致する前記経路を設定するように、前記接続手段に対して前記接続指令を与える制御手段と
を備えることを特徴とするＷＤＭ伝送装置。
【請求項２】
所定の波長の光信号を送受信する送受信手段と、
前記送受信手段の送受信する光信号が入出力されるシステム側ポートと、波長分割多重光信号として伝送される所定の波長の光信号が入出力される伝送路側ポートとをそれぞれ複数有し、与えられた接続指令に応じて、前記システム側ポートと前記伝送路側ポートとの間の経路を設定する接続手段と、
前記送受信手段が搭載されるスロットと前記システム側ポートとの間の接続関係を検出する検出手段と、
前記検出手段により検出された前記接続関係の情報と、前記送受信手段の送受信する光信号の波長の情報とに基づき、前記システム側ポートに入出力される光信号の波長と、前記伝送路側ポートに入出力される光信号の波長とが一致する前記経路を設定するように、前記接続手段に対して前記接続指令を与える制御手段と
を備えることを特徴とするＷＤＭ伝送装置。
【発明の詳細な説明】
【技術分野】
【０００１】
本発明は、波長分割多重（ＷＤＭ：Wavelength Division Multiplexing）伝送装置に関する。
【背景技術】
【０００２】
近年、インターネットなどの通信ネットワークにおいては、動画像の配信が一般化するなど、トラヒック量が急速に増加している。これに伴い、通信インフラにはさらなる伝送容量の大容量化が求められている。
【０００３】
伝送容量の大容量化を実現するための技術として、特許文献１や特許文献２などに開示される波長分割多重（ＷＤＭ：Wavelength Division Multiplexing）技術がある。ＷＤＭ技術は、一本の光ファイバ伝送路に複数の波長を多重して伝送することで、伝送容量の大容量化を可能としており、最近では、１００を超える波長を多重するＷＤＭ伝送装置も実現されている。
【特許文献１】特開２００６−２３８１１８号公報
【特許文献２】特開平８−１８６５５９号公報
【発明の開示】
【発明が解決しようとする課題】
【０００４】
図９は、従来のＷＤＭ伝送装置の一般的な構成例を示す図である。
【０００５】
図９において、トランスポンダ９０−１〜９０−ｎは、それぞれ特定の波長λ１〜λｎの光信号を送受信する。
【０００６】
合波器９２は、波長毎に設けられた入力に入力される波長λ１〜λｎの光信号を合波することにより多重する。そして、合波器９２は、それらの光信号を多重した波長分割多重光信号を伝送路９３へ送信する。
【０００７】
また、分波器９５は、伝送路９６から受信される波長分割多重光信号の成分を波長λ１〜λｎの光信号として分波する。そして、分波器９５は、分波した波長λ１〜λｎの光信号を波長毎に設けられた出力へそれぞれ出力する。
【０００８】
ところで、トランスポンダを搭載するためのスロット１〜ｎと合波器９２の波長λ１〜λｎに対応した入力とは、ＳＣ形光コネクタ等を両端に有する光ファイバケーブルなどにより、それぞれ光アダプタ９１−１〜９１−ｎを介して予め接続されるのが一般的である。同様に、スロット１〜ｎと分波器９５の波長λ１〜λｎに対応した出力とについても、ＳＣ形光コネクタ等を両端に有する光ファイバケーブルなどにより、それぞれ光アダプタ９４−１〜９４−ｎを介して予め接続されるのが一般的である。
【０００９】
このため、従来のＷＤＭ伝送装置では、トランスポンダの送受信する光信号の波長により、それを搭載することの可能なスロットの位置が予め固定的に決められていた。
【００１０】
また、従来のＷＤＭ伝送装置では、スロット１〜ｎと合波器９２及び分波器９５との間の接続は、常に、光信号の波長を意識して行う必要がある。このため、既述のように１００波長を多重するようなＷＤＭ伝送装置において、それらの間の接続変更を行う場合には、運用者などの作業者が接続間違いを起こしやすかった。
【００１１】
このように、従来のＷＤＭ伝送装置は、スロット１〜ｎと合波器９２及び分波器９５との間の接続、即ち、装置内の接続、およびトランスポンダの搭載スロット位置、即ち、モジュールの実装位置についての制約が厳しく、自由度のないシステムであった。
【００１２】
本発明は、上記従来技術の課題を解決するためのものである。本発明の目的は、装置内の接続およびモジュールの実装位置について自由度を有するＷＤＭ伝送装置を提供することである。
【課題を解決するための手段】
【００１３】
第１の発明のＷＤＭ伝送装置は、送受信手段と、接続手段と、制御手段とを備える。送受信手段は、所定の波長の光信号を送受信する。また、接続手段は、所定のスロットと予め接続され、前記スロットに搭載された送受信手段の送受信する光信号が入出力されるシステム側ポートと、波長分割多重光信号として伝送される所定の波長の光信号が入出力される伝送路側ポートとをそれぞれ複数有し、与えられた接続指令に応じて、システム側ポートと伝送路側ポートとの間の経路を設定する。そして、制御手段は、前記スロットの番号を示す情報と、送受信手段の送受信する光信号の波長の情報とに基づき、前記システム側ポートに入出力される光信号の波長と、前記伝送路側ポートに入出力される光信号の波長とが一致する経路を設定するように、接続手段に対して接続指令を与える。
【００１４】
第２の発明のＷＤＭ伝送装置は、送受信手段と、接続手段と、検出手段と、制御手段とを備える。送受信手段は、所定の波長の光信号を送受信する。接続手段は、送受信手段の送受信する光信号が入出力されるシステム側ポートと、波長分割多重光信号として伝送される所定の波長の光信号が入出力される伝送路側ポートとをそれぞれ複数有し、与えられた接続指令に応じて、システム側ポートと伝送路側ポートとの間の経路を設定する。また、検出手段は、送受信手段が搭載されるスロットと前記システム側ポートとの間の接続関係を検出する。そして、制御手段は、検出手段により検出された接続関係の情報と、送受信手段の送受信する光信号の波長の情報とに基づき、前記システム側ポートに入出力される光信号の波長と、前記伝送路側ポートに入出力される光信号の波長とが一致する経路を設定するように、接続手段に対して接続指令を与える。
【発明の効果】
【００１５】
本発明では、制御手段が、送受信手段が搭載されたスロットの番号を示す情報と、送受信手段の送受信する光信号の波長の情報とに基づき、接続手段に対して、システム側ポートに入出力される光信号の波長と、伝送路側ポートに入出力される光信号の波長とが一致する経路を設定するように、接続指令を与える。なお、前記スロットは、接続手段のシステム側ポートと予め接続されている。
【００１６】
また、本発明では、検出手段が、送受信手段が搭載されるスロットと接続手段のシステム側ポートとの間の接続関係を検出する。そして、制御手段が、検出手段により検出された接続関係の情報と、送受信手段の送受信する光信号の波長の情報とに基づき、接続手段に対して、システム側ポートに入出力される光信号の波長と、伝送路側ポートに入出力される光信号の波長とが一致する経路を設定するように、接続指令を与える。
【００１７】
従って、本発明を利用すれば、送受信手段の送受信する光信号の波長に拘わらず、送受信手段を搭載するスロットの位置を自由に決めることができ、また、光信号の波長を意識することなく、送受信手段を搭載するためのスロットと接続手段のシステム側ポートとの間を自由に接続することができる。
【００１８】
このため、本発明では、装置内の接続およびモジュールの実装位置について自由度をもたせることができる。
【発明を実施するための最良の形態】
【００１９】
（第１実施形態）
以下、本発明の第１実施形態を説明する。
【００２０】
図１は第１実施形態のＷＤＭ伝送装置の構成例を示す図である。なお、図１において、図９の従来例と機能および構成が同じ要素については、同一の符号を付与して示し、ここではその説明を省略する。
【００２１】
本実施形態と図９の従来例との構成の相違点は、以下の点にある。
・光アダプタ９１−１〜９１−ｎと合波器９２の入力との間、および光アダプタ９４−１〜９４−ｎと分波器９５の出力との間に、それぞれ光スイッチ１０および光スイッチ１１が設けられる。
・光スイッチ制御部１２が設けられ、この光スイッチ制御部１２により光スイッチ１０および光スイッチ１１の接続が制御される。
・光スイッチ制御部１２とトランスポンダ９０−１〜９０−ｎとがＩ2Ｃ（Inter-Integrated Circuit）シリアル通信インターフェースなどを介してそれぞれ接続される。
【００２２】
以下、第１実施形態のＷＤＭ伝送装置の動作を、図２の構成図及び図３のフローチャートを参照して説明する。なお、図１の構成では、ＷＤＭ伝送装置に搭載可能なトランスポンダの数をｎ台（トランスポンダ９０−１〜９０−ｎ）とし、それらの送受信する光信号の波長をそれぞれλ１〜λｎとしている。これを、図２の構成では、説明の都合上、ＷＤＭ伝送装置に搭載可能なトランスポンダの数を４台（トランスポンダ９０−１〜９０−４）とし、それらの送受信する光信号の波長をそれぞれλ１〜λ４とする。
【００２３】
図２において、トランスポンダを搭載するスロット１〜４と光スイッチ１０の入力ポートであるシステム側ポート１ａ〜４ａとは、光ファイバケーブルなどにより、それぞれ光アダプタ９１−１〜９１−４を介して予め接続される。同様に、トランスポンダを搭載するスロット１〜４と光スイッチ１１の出力ポートであるシステム側ポート１ａ’〜４ａ’とについても、光ファイバケーブルなどにより、それぞれ光アダプタ９４−１〜９４−４を介して予め接続される。
【００２４】
即ち、スロット１〜４と光スイッチ１０のシステム側ポート１ａ〜４ａとの間、およびスロット１〜４と光スイッチ１１のシステム側ポート１ａ’〜４ａ’との間の接続関係は、予め一意に決められている。
【００２５】
また、図２において、光スイッチ１０の出力ポートである伝送路側ポート１ｂ〜４ｂは、合波器９２の波長λ１〜λ４に対応した入力にそれぞれ接続され、光スイッチ１１の入力ポートである伝送路側ポート１ｂ’〜４ｂ’は、分波器９５の波長λ１〜λ４に対応した出力にそれぞれ接続される。
【００２６】
このような構成の下で、光スイッチ制御部１２は、図３のフローチャートの処理を実行する。なお、図３の処理は、トランスポンダがスロットに搭載されたときに実行されるものである。
【００２７】
ステップＳ３０１：光スイッチ制御部１２は、トランスポンダがスロットに搭載されたことを検知すると、当該スロットの情報（スロット番号情報）を取得する。
【００２８】
そして、光スイッチ制御部１２は、取得したスロット番号情報を基に、光スイッチ１０のシステム側ポートの何れを制御すべきかを示す情報（システム側制御対象ポート情報）を取得する。具体的には、光スイッチ制御部１２は、スロット番号情報をキーにして、例えば、図４（ａ）に示すテーブルを検索することで、システム側制御対象ポート情報を取得する。
【００２９】
ここで、図４（ａ）のテーブルには、トランスポンダを搭載するためのスロットと光スイッチ１０のシステム側ポートとの接続関係を示す情報が格納されている。つまり、ここでは、スロットと接続されている光スイッチ１０のシステム側ポートの情報が、制御すべきポートの情報として取得される。
【００３０】
例えば、図２に示すように、トランスポンダ９０−２がスロット１に搭載されると、それを検知した光スイッチ制御部１２は、スロット番号情報「１」を取得する。
【００３１】
そして、光スイッチ制御部１２は、スロット番号情報の「１」をキーにして図４（ａ）のテーブルを検索し、当該スロットが接続されている光スイッチ１０のシステム側ポートを示す「１ａ」との情報をシステム側制御対象ポート情報として取得する。
【００３２】
このようにして、制御対象となる光スイッチ１０のシステム側ポートが決定される。
【００３３】
ステップＳ３０２：光スイッチ制御部１２は、Ｉ2Ｃシリアル通信インターフェースなどを介して、スロットに搭載されたトランスポンダの光モジュール（不図示）から当該トランスポンダが送受信する光信号の波長の情報を取得する。
【００３４】
そして、光スイッチ制御部１２は、取得した波長の情報を基に、光スイッチ１０の伝送路側ポートの何れに当該取得した波長の光信号を出力すべきか、即ち、光スイッチ１０の伝送路側ポートの何れを制御すべきかを示す情報（伝送路側制御対象ポート情報）を取得する。具体的には、光スイッチ制御部１２は、取得した波長の情報をキーにして、例えば、図４（ｂ）に示すテーブルを検索することで、伝送路側制御対象ポート情報を取得する。
【００３５】
ここで、図４（ｂ）のテーブルには、光スイッチ１０の伝送路側ポートと合波器９２の入力との接続関係を示す情報が格納されている。なお、合波器９２の入力は波長毎に設けられているため、図４（ｂ）のテーブルには、合波器９２の各入力を示す波長の情報が格納されている。つまり、ここでは、トランスポンダの送信する光信号の波長と一致する合波器９２の入力に接続されている光スイッチ１０の伝送路側ポートの情報が、制御すべきポートの情報として取得される。
【００３６】
例えば、図２に示すように、トランスポンダ９０−２がスロット１に搭載されると、それを検知した光スイッチ制御部１２は、当該トランスポンダが送受信する光信号の波長の情報の「λ２」を取得する。
【００３７】
そして、光スイッチ制御部１２は、取得した波長の情報の「λ２」をキーにして図４（ｂ）のテーブルを検索し、当該波長と一致する合波器９２の入力に接続されている光スイッチ１０の伝送路側ポートを示す「２ｂ」との情報を伝送路側制御対象ポート情報として取得する。
【００３８】
このようにして、制御対象となる光スイッチ１０の伝送路側ポートが決定される。
【００３９】
ステップＳ３０３：光スイッチ制御部１２は、制御対象として決定した光スイッチ１０のシステム側ポートから伝送路側ポートへの経路、即ち、システム側ポートに入力される光信号の波長と伝送路側ポートに出力される光信号の波長とが一致する経路を設定するように、光スイッチ１０に対して接続指令を与える。
【００４０】
例えば、図２に示すように、トランスポンダ９０−２がスロット１に搭載されたとする。そうすると、これを検知した光スイッチ制御部１２は、既述のとおり、スロット番号情報の「１」をキーにして図４（ａ）のテーブルを検索し、光スイッチ１０のシステム側ポートを示す「１ａ」との情報をシステム側制御対象ポート情報として取得する。これにより、制御対象となる光スイッチ１０のシステム側ポートが決定される。
【００４１】
また、光スイッチ制御部１２は、既述のとおり、当該トランスポンダが送受信する光信号の波長の情報の「λ２」をキーにして図４（ｂ）のテーブルを検索し、光スイッチ１０の伝送路側ポートを示す「２ｂ」との情報を伝送路側制御対象ポート情報として取得する。これにより、制御対象となる光スイッチ１０の伝送路側ポートが決定される。
【００４２】
そして、光スイッチ制御部１２は、制御対象として決定した光スイッチ１０のシステム側ポート「１ａ」から伝送路側ポート「２ｂ」への経路を設定するように、光スイッチ１０に対して接続指令を与える。
【００４３】
この場合、光スイッチ１０のシステム側ポート「１ａ」には、トランスポンダ９０−２が送信する波長「λ２」の光信号が入力される。また、光スイッチ１０の伝送路側ポート「２ｂ」は、予め、合波器９２の波長「λ２」に対応した入力と接続されている。つまり、光スイッチ制御部１２は、光スイッチ１０のシステム側ポートに入力される光信号の波長と、光スイッチ１０の伝送路側ポートに出力される光信号の波長とが一致する経路を設定するように、光スイッチ１０の接続を制御する。
【００４４】
この結果、スロット１に搭載されたトランスポンダ９０−２が送信する波長「λ２」の光信号は、光スイッチ１０の上記経路を経由して、合波器９２の波長「λ２」に対応した入力に到達することとなる。
【００４５】
また、図２に示すように、トランスポンダ９０−３がスロット２に、トランスポンダ９０−４がスロット３に、トランスポンダ９０−１がスロット４に搭載された場合にも、光スイッチ制御部１２により、上記と同様に光スイッチ１０の接続が制御される。
【００４６】
その結果、スロット２に搭載されたトランスポンダ９０−３が送信する波長「λ３」の光信号は、光スイッチ１０のシステム側ポート「２ａ」から伝送路側ポート「３ｂ」の経路を経由して、合波器９２の波長「λ３」に対応した入力に到達することとなる。また、スロット３に搭載されたトランスポンダ９０−４が送信する波長「λ４」の光信号は、光スイッチ１０のシステム側ポート「３ａ」から伝送路側ポート「４ｂ」の経路を経由して、合波器９２の波長「λ４」に対応した入力に到達することとなる。そして、スロット４に搭載されたトランスポンダ９０−１が送信する波長「λ１」の光信号は、光スイッチ１０のシステム側ポート「４ａ」から伝送路側ポート「１ｂ」の経路を経由して、合波器９２の波長「λ１」に対応した入力に到達することとなる。
【００４７】
なお、上記では、光スイッチ１１の接続については説明をしていないが、光スイッチ制御部１２は、上記と同様の手順により光スイッチ１１の接続を制御する。但し、光スイッチ１１の接続を制御する際には、図４（ｃ）及び（ｄ）のテーブルが使用される。
【００４８】
その結果、分波器９５の波長毎に設けられた出力から出力される光信号が、光スイッチ１１に設定された経路を経由して、対応する波長の光信号を受信するトランスポンダに到達することとなる。
【００４９】
（第１実施形態の補足事項）
なお、図４の（ａ）〜（ｄ）のテーブルは、運用者等が局データなどとして予め設定するものである。
【００５０】
（第１実施形態の作用効果）
以上、第１実施形態のＷＤＭ伝送装置では、トランスポンダがスロットに搭載されると、光スイッチ制御部１２により、そのスロット番号情報をキーにして図４（ａ）及び（ｃ）のテーブルが検索され、制御対象となる光スイッチ１０及び１１のシステム側ポートが決定される。また、光スイッチ制御部１２により、当該トランスポンダが送受信する光信号の波長の情報をキーにして図４（ｂ）及び（ｄ）のテーブルが検索され、制御対象となる光スイッチ１０及び１１の伝送路側ポートが決定される。そして、光スイッチ制御部１２により、光スイッチ１０及び１１に対して、制御対象として決定されたシステム側ポートと伝送路側ポートとの経路を設定するように、接続指令が与えられる。
【００５１】
この場合、光スイッチ制御部１２により、光スイッチ１０及び１１のシステム側ポートに入出力される光信号の波長と、光スイッチ１０及び１１の伝送路側ポートに入出力される光信号の波長とが一致する経路を設定するように、光スイッチ１０及び１１の接続が制御される。
【００５２】
つまり、第１実施形態のＷＤＭ伝送装置では、どのスロットにどのトランスポンダが搭載されても、波長にかかわらず、トランスポンダと合波器９２及び分波器９５との間において、光信号の疎通が確実に行われる。また、第１実施形態のＷＤＭ伝送装置では、スロットと光スイッチ１０及び１１のシステム側ポートとの間がどのように接続されても、トランスポンダと合波器９２及び分波器９５との間において、光信号の疎通が確実に行われる。
【００５３】
従って、第１実施形態のＷＤＭ伝送装置によれば、トランスポンダの送受信する光信号の波長に拘わらず、トランスポンダを搭載するスロットの位置を自由に決めることができる。また、第１実施形態のＷＤＭ伝送装置によれば、光信号の波長を意識することなく、トランスポンダを搭載するためのスロットと光スイッチ１０及び１１のシステム側ポートとの間を自由に接続することができる。このため、運用者などの作業者が接続間違いを起こすこともない。
【００５４】
よって、第１実施形態のＷＤＭ伝送装置によれば、装置内の接続およびモジュールの実装位置について自由度をもたせることができる。
【００５５】
（第２実施形態）
以下、本発明の第２実施形態について説明する。
【００５６】
図５は第２実施形態のＷＤＭ伝送装置の構成例を示す図である。なお、図５において、図１の第１実施形態と機能および構成が同じ要素については、同一の符号を付与して示し、ここではその説明を省略する。
【００５７】
本実施形態と図１の第１実施形態との構成の相違点は、以下の点にある。
・光アダプタ９１−１〜９１−ｎと光スイッチ１０の入力ポートであるシステム側ポートとの間に、トランスポンダの送信する光信号を２分岐するための分岐カプラ２０−１〜２０−ｎが設けられる。
・分岐カプラ２０−１〜２０−ｎの片方の出力（出力Ｍ）には、それぞれモニタＰＤ（モニタフォトダイオード）２１−１〜２１−ｎが接続される。なお、もう片方の出力（出力Ｌ）は、光スイッチ１０のシステム側ポートに接続される。
【００５８】
以下、第２実施形態のＷＤＭ伝送装置の動作を、図６の構成図及び図７のフローチャートを参照して説明する。なお、図５の構成では、ＷＤＭ伝送装置に搭載可能なトランスポンダの数をｎ台（トランスポンダ９０−１〜９０−ｎ）とし、それらの送受信する光信号の波長をそれぞれλ１〜λｎとしている。これを、図６の構成では、説明の都合上、ＷＤＭ伝送装置に搭載可能なトランスポンダの数を４台（トランスポンダ９０−１〜９０−４）とし、それらの送受信する光信号の波長をそれぞれλ１〜λ４とする。
【００５９】
図６において、光アダプタ９１−１〜９１−４には、それぞれ分岐カプラ２０−１〜２０−４が接続される。そして、分岐カプラ２０−１〜２０−４の出力Ｌは、それぞれ光スイッチ１０のシステム側ポート１ａ〜４ａに予め接続される。
【００６０】
即ち、光アダプタ９１−１〜９１−４と光スイッチ１０のシステム側ポート１ａ〜４ａとの間の接続関係は、予め一意に決められている。
【００６１】
なお、第２実施形態においては、光アダプタ９１−１〜９１−ｎと光スイッチ１０のシステム側ポート１ａ〜ｎａとの間の接続関係に基づいて、光アダプタ９４−１〜９４−ｎと光スイッチ１１のシステム側ポート１ａ’〜ｎａ’との接続が規則的に行われる。
【００６２】
例えば、光アダプタ９１−１〜９１−ｎが、それぞれ光スイッチ１０のシステム側ポートｎａ〜１ａと接続される場合には、光スイッチ１１のシステム側ポート１ａ’〜ｎａ’は、それぞれ光アダプタ９４−ｎ〜９４−１と接続されることとなる。
【００６３】
このため、図６の構成においては、光アダプタ９１−１〜９１−４が、それぞれ光スイッチ１０のシステム側ポート１ａ〜４ａと接続されるので、光アダプタ９４−１〜９４−４は、それぞれ光スイッチ１１のシステム側ポート１ａ’〜４ａ’と接続されることとなる。
【００６４】
また、図６において、光スイッチ１０の出力ポートである伝送路側ポート１ｂ〜４ｂは、合波器９２の波長λ１〜λ４に対応した入力にそれぞれ接続される。
【００６５】
なお、第２実施形態においては、光スイッチ１０の伝送路側ポート１ｂ〜ｎｂと合波器９２のλ１〜λｎに対応した入力との間の接続関係に基づいて、光スイッチ１１の入力ポートである伝送路側ポート１ｂ’〜ｎｂ’と分波器９５のλ１〜λｎに対応した出力との接続が規則的に行われる。
【００６６】
このため、図６の構成においては、光スイッチ１０の伝送路側ポート１ｂ〜４ｂは、合波器９２の波長λ１〜λ４に対応した入力にそれぞれ接続されるので、光スイッチ１１の伝送路側ポート１ｂ’〜４ｂ’は、分波器９５の波長λ１〜λ４に対応した出力にそれぞれ接続されることとなる。
【００６７】
このような構成の下で、光スイッチ制御部１２は、図７のフローチャートの処理を実行する。なお、図７の処理は、トランスポンダがスロットに搭載されたときに実行されるものである。
【００６８】
ステップＳ７０１：光スイッチ制御部１２は、トランスポンダがスロットに搭載されたことを検知すると、当該スロットと光アダプタ９１−１〜９１−４の何れとが接続されているか、即ち、当該スロットと光スイッチ１０のシステム側ポートとの間の接続関係を、以下の方法によって検出する。
【００６９】
先ず、光スイッチ制御部１２は、当該スロットに搭載されたトランスポンダから光信号が出力されるように、その出力を制御する。
【００７０】
そして、光スイッチ制御部１２は、モニタＰＤ２１−１〜２１−４の何れが、トランスポンダから出力された光信号を検出するかを判定する。なお、光信号を受信したモニタＰＤには電流が流れるので、光スイッチ制御部１２は、その流れた電流をＩ−Ｖ変換し、変換により得られた電圧値が予め定めた電圧しきい値を超えた場合に、当該モニタＰＤが光信号を検出したと判定する。
【００７１】
光スイッチ制御部１２は、光信号を検出したモニタＰＤを判定すると、そのモニタＰＤに対応する分岐カプラの接続されている光アダプタが、トランスポンダの搭載されたスロットと接続されていると判断する。
【００７２】
このようにして、光スイッチ制御部１２は、上記接続関係を検出する。
【００７３】
また、光スイッチ制御部１２は、トランスポンダの搭載されたスロットと接続されていると判断した光アダプタの情報（光アダプタ番号情報）を取得する。
【００７４】
そして、光スイッチ制御部１２は、その光アダプタ番号情報を基に、光スイッチ１０のシステム側ポートの何れを制御すべきかを示す情報（システム側制御対象ポート情報）を取得する。具体的には、光スイッチ制御部１２は、光アダプタ番号情報をキーにして、例えば、図８（ａ）に示すテーブルを検索することで、システム側制御対象ポート情報を取得する。
【００７５】
ここで、図８（ａ）のテーブルには、光アダプタ９１−１〜９１−４と光スイッチ１０のシステム側ポートとの接続関係を示す情報が格納されている。つまり、ここでは、光アダプタと接続されている光スイッチ１０のシステム側ポートの情報が、制御すべきポートの情報として取得される。
【００７６】
例えば、図６に示すように、トランスポンダ９０−２がスロット１に搭載されると、それを検知した光スイッチ制御部１２は、トランスポンダ９０−２から光信号が出力されるように、その出力を制御する。
【００７７】
これにより、モニタＰＤ２１−３がその光信号を受信するため、光スイッチ制御部１２は、モニタＰＤ２１−３が光信号を検出したと判定して、それに対応する分岐カプラ２０−３の接続されている光アダプタ９１−３の光アダプタ番号情報「９１−３」を取得する。
【００７８】
そして、光スイッチ制御部１２は、光アダプタ番号情報の「９１−３」をキーにして図８（ａ）のテーブルを検索し、当該光アダプタが接続されている光スイッチ１０のシステム側ポートを示す「３ａ」との情報をシステム側制御対象ポート情報として取得する。
【００７９】
このようにして、制御対象となる光スイッチ１０のシステム側ポートが決定される。
【００８０】
ステップＳ７０２：光スイッチ制御部１２は、Ｉ2Ｃシリアル通信インターフェースなどを介して、スロットに搭載されたトランスポンダの光モジュール（不図示）から当該トランスポンダが送受信する光信号の波長の情報を取得する。
【００８１】
そして、光スイッチ制御部１２は、取得した波長の情報を基に、光スイッチ１０の伝送路側ポートの何れに当該取得した波長の光信号を出力すべきか、即ち、光スイッチ１０の伝送路側ポートの何れを制御すべきかを示す情報（伝送路側制御対象ポート情報）を取得する。具体的には、光スイッチ制御部１２は、取得した波長の情報をキーにして、例えば、図８（ｂ）に示すテーブルを検索することで、伝送路側制御対象ポート情報を取得する。
【００８２】
ここで、図８（ｂ）のテーブルには、光スイッチ１０の伝送路側ポートと合波器９２の入力との接続関係を示す情報が格納されている。なお、合波器９２の入力は波長毎に設けられているため、図８（ｂ）のテーブルには、合波器９２の各入力を示す波長の情報が格納されている。つまり、ここでは、トランスポンダの送信する光信号の波長と一致する合波器９２の入力に接続されている光スイッチ１０の伝送路側ポートの情報が、制御すべきポートの情報として取得される。
【００８３】
例えば、図６に示すように、トランスポンダ９０−２がスロット１に搭載されると、それを検知した光スイッチ制御部１２は、当該トランスポンダが送受信する光信号の波長の情報の「λ２」を取得する。
【００８４】
そして、光スイッチ制御部１２は、取得した波長の情報の「λ２」をキーにして図８（ｂ）のテーブルを検索し、当該波長と一致する合波器９２の入力に接続されている光スイッチ１０の伝送路側ポートを示す「２ｂ」との情報を伝送路側制御対象ポート情報として取得する。
【００８５】
このようにして、制御対象となる光スイッチ１０の伝送路側ポートが決定される。
【００８６】
ステップＳ７０３：光スイッチ制御部１２は、制御対象として決定した光スイッチ１０のシステム側ポートから伝送路側ポートへの経路、即ち、システム側ポートに入力される光信号の波長と伝送路側ポートに出力される光信号の波長とが一致する経路を設定するように、光スイッチ１０に対して接続指令を与える。
【００８７】
例えば、図６に示すように、トランスポンダ９０−２がスロット１に搭載されたとする。そうすると、これを検知した光スイッチ制御部１２は、既述のとおり、トランスポンダ９０−２から光信号が出力されるように、その出力を制御する。これにより、モニタＰＤ２１−３がその光信号を受信するため、光スイッチ制御部１２は、モニタＰＤ２１−３が光信号を検出したと判定して、それに対応する分岐カプラ２０−３の接続されている光アダプタ９１−３の光アダプタ番号情報「９１−３」を取得する。そして、光スイッチ制御部１２は、光アダプタ番号情報の「９１−３」をキーにして図８（ａ）のテーブルを検索し、当該光アダプタが接続されている光スイッチ１０のシステム側ポートを示す「３ａ」との情報をシステム側制御対象ポート情報として取得する。これにより、制御対象となる光スイッチ１０のシステム側ポートが決定される。
【００８８】
また、光スイッチ制御部１２は、既述のとおり、当該トランスポンダが送受信する光信号の波長の情報の「λ２」をキーにして図８（ｂ）のテーブルを検索し、光スイッチ１０の伝送路側ポートを示す「２ｂ」との情報を伝送路側制御対象ポート情報として取得する。これにより、制御対象となる光スイッチ１０の伝送路側ポートが決定される。
【００８９】
そして、光スイッチ制御部１２は、制御対象として決定した光スイッチ１０のシステム側ポート「３ａ」から伝送路側ポート「２ｂ」への経路を設定するように、光スイッチ１０に対して接続指令を与える。
【００９０】
この場合、光スイッチ１０のシステム側ポート「３ａ」には、トランスポンダ９０−２が送信する波長「λ２」の光信号が入力される。また、光スイッチ１０の伝送路側ポート「２ｂ」は、予め、合波器９２の波長「λ２」に対応した入力と接続されている。つまり、光スイッチ制御部１２は、光スイッチ１０のシステム側ポートに入力される光信号の波長と、光スイッチ１０の伝送路側ポートに出力される光信号の波長とが一致する経路を設定するように、光スイッチ１０の接続を制御する。
【００９１】
この結果、スロット１に搭載されたトランスポンダ９０−２が送信する波長「λ２」の光信号は、光スイッチ１０の上記経路を経由して、合波器９２の波長「λ２」に対応した入力に到達することとなる。
【００９２】
また、図６に示すように、トランスポンダ９０−３がスロット２に、トランスポンダ９０−４がスロット３に、トランスポンダ９０−１がスロット４に搭載された場合にも、光スイッチ制御部１２により、上記と同様に光スイッチ１０の接続が制御される。なお、その場合、光スイッチ制御部１２の制御によりスロット２のトランスポンダ９０−３から出力された光信号は、モニタＰＤ２１−１により受信される。また、スロット３のトランスポンダ９０−４及びスロット４のトランスポンダ９０−１から出力された光信号は、それぞれ、モニタＰＤ２１−２及びモニタＰＤ２１−４により受信される。
【００９３】
その結果、スロット２に搭載されたトランスポンダ９０−３が送信する波長「λ３」の光信号は、光スイッチ１０のシステム側ポート「１ａ」から伝送路側ポート「３ｂ」の経路を経由して、合波器９２の波長「λ３」に対応した入力に到達することとなる。また、スロット３に搭載されたトランスポンダ９０−４が送信する波長「λ４」の光信号は、光スイッチ１０のシステム側ポート「２ａ」から伝送路側ポート「４ｂ」の経路を経由して、合波器９２の波長「λ４」に対応した入力に到達することとなる。そして、スロット４に搭載されたトランスポンダ９０−１が送信する波長「λ１」の光信号は、光スイッチ１０のシステム側ポート「４ａ」から伝送路側ポート「１ｂ」の経路を経由して、合波器９２の波長「λ１」に対応した入力に到達することとなる。
【００９４】
なお、第２実施形態においては、トランスポンダを搭載するためのスロット１〜ｎと光アダプタ９４−１〜９４−ｎとの接続は、スロット１〜ｎと光アダプタ９１−１〜９１−ｎとの間の接続関係に基づいて規則的に行われる。
【００９５】
例えば、スロット１〜ｎが、それぞれ光アダプタ９１−１〜９１−ｎと接続される場合には、光アダプタ９４−１〜９４−ｎは、それぞれスロット１〜ｎと接続される。
【００９６】
このため、図６の構成においては、スロット１、２、３、４が、それぞれ光アダプタ９１−３、９１−１、９１−２、９１−４と接続されるので、光アダプタ９４−１、９４−２、９４−３、９４−４は、それぞれスロット２、３、１、４と接続されることとなる。
【００９７】
従って、第２実施形態においては、光スイッチ１１の接続についても、光スイッチ１０の接続関係に基づいて規則的に行われる。
【００９８】
つまり、図６の構成においては、光スイッチ１０のシステム側ポートの「１ａ」、「２ａ」、「３ａ」、「４ａ」は、それぞれ伝送路側ポートの「３ｂ」、「４ｂ」、「２ｂ」、「１ｂ」に接続されるため、光スイッチ１１のシステム側ポートの「１ａ’」、「２ａ’」、「３ａ’」、「４ａ’」は、それぞれ伝送路側ポートの「３ｂ’」、「４ｂ’」、「２ｂ’」、「１ｂ’」に接続されることとなる。
【００９９】
その結果、分波器９５の波長毎に設けられた出力から出力される光信号が、光スイッチ１１に設定された経路を経由して、対応する波長の光信号を受信するトランスポンダに到達することとなる。
【０１００】
（第２実施形態の補足事項）
なお、図８の（ａ）及び（ｂ）のテーブルは、運用者等が局データなどとして予め設定するものである。
【０１０１】
（第２実施形態の作用効果）
以上、第２実施形態のＷＤＭ伝送装置では、トランスポンダがスロットに搭載されると、光スイッチ制御部１２により、トランスポンダの出力が制御される。この制御によりトランスポンダから出力された光信号をモニタＰＤが受信すると、光スイッチ制御部１２により、モニタＰＤが光信号を検出したと判定され、当該モニタＰＤに対応する分岐カプラの接続されている光アダプタのアダプタ番号情報が取得される。そして、光スイッチ制御部１２により、光アダプタ番号情報をキーにして図８（ａ）のテーブルが検索され、制御対象となる光スイッチ１０のシステム側ポートが決定される。また、光スイッチ制御部１２により、当該トランスポンダが送受信する光信号の波長の情報をキーにして図８（ｂ）のテーブルが検索され、制御対象となる光スイッチ１０の伝送路側ポートが決定される。そして、光スイッチ制御部１２により、光スイッチ１０に対して、制御対象として決定されたシステム側ポートから伝送路側ポートへの経路を設定するように、接続指令が与えられる。
【０１０２】
この場合、光スイッチ制御部１２により、光スイッチ１０のシステム側ポートに入力される光信号の波長と、光スイッチ１０の伝送路側ポートに出力される光信号の波長とが一致する経路を設定するように、光スイッチ１０の接続が制御される。
【０１０３】
なお、第２実施形態においては、トランスポンダを搭載するためのスロット１〜ｎと光アダプタ９４−１〜９４−ｎとの接続は、スロット１〜ｎと光アダプタ９１−１〜９１−ｎとの間の接続関係に基づいて規則的に行われる。また、光アダプタ９４−１〜９４−ｎと光スイッチ１１のシステム側ポート１ａ’〜ｎａ’との接続は、光アダプタ９１−１〜９１−ｎと光スイッチ１０のシステム側ポート１ａ〜ｎａとの間の接続関係に基づいて規則的に行われる。また、光スイッチ１１の伝送路側ポート１ｂ’〜ｎｂ’と分波器９５のλ１〜λｎに対応した出力との接続は、光スイッチ１０の伝送路側ポート１ｂ〜ｎｂと合波器９２のλ１〜λｎに対応した入力との間の接続関係に基づいて規則的に行われる。
【０１０４】
つまり、第２実施形態のＷＤＭ伝送装置では、スロットと光スイッチ１０のシステム側ポートとの間がどのように接続されても、トランスポンダと合波器９２及び分波器９５との間において、光信号の疎通が確実に行われる。また、第２実施形態のＷＤＭ伝送装置では、どのスロットにどのトランスポンダが搭載されても、波長にかかわらず、トランスポンダと合波器９２及び分波器９５との間において、光信号の疎通が確実に行われる。
【０１０５】
従って、第２実施形態のＷＤＭ伝送装置によれば、光信号の波長を意識することなく、トランスポンダを搭載するためのスロットと光スイッチ１０及び１１のシステム側ポートとの間を自由に接続することができる。特に、第２実施形態のＷＤＭ伝送装置では、スロットと光スイッチ１０のシステム側ポートとの間の接続関係が自動的に検出されるので、運用者などの作業者が接続間違いを起こすことは全くない。また、第２実施形態のＷＤＭ伝送装置によれば、トランスポンダの送受信する光信号の波長に拘わらず、トランスポンダを搭載するスロットの位置を自由に決めることができる。
【０１０６】
よって、第２実施形態のＷＤＭ伝送装置によれば、装置内の接続およびモジュールの実装位置について自由度をもたせることができる。
【図面の簡単な説明】
【０１０７】
【図１】第１実施形態のＷＤＭ伝送装置の構成例を示す図である。
【図２】第１実施形態のＷＤＭ伝送装置の構成例（トランスポンダが４台の場合）を示す図である。
【図３】トランスポンダがスロットに搭載されたときの動作を示す流れ図である。
【図４】光スイッチの制御対象ポートを決定するためのテーブルである。
【図５】第２実施形態のＷＤＭ伝送装置の構成例を示す図である。
【図６】第２実施形態のＷＤＭ伝送装置の構成例（トランスポンダが４台の場合）を示す図である。
【図７】トランスポンダがスロットに搭載されたときの動作を示す流れ図である。
【図８】光スイッチの制御対象ポートを決定するためのテーブルである。
【図９】従来のＷＤＭ伝送装置の一般的な構成例を示す図である。
【符号の説明】
【０１０８】
１〜４，ｎ  スロット
１０，１１  光スイッチ
１２  光スイッチ制御部
２０−１〜２０−４，２０−ｎ  分岐カプラ
２１−１〜２１−４，２１−ｎ  モニタＰＤ（モニタフォトダイオード）
９０−１〜９０−４，９０−ｎ  トランスポンダ
９１−１〜９１−４，９１−ｎ，９４−１〜９４−４，９４−ｎ  光アダプタ
９２  合波器
９３，９６  伝送路
９５  分波器
【図１】
2010041660.tif 000003
【図２】
2010041660.tif 000004
【図３】
2010041660.tif 000005
【図４】
2010041660.tif 000006
【図５】
2010041660.tif 000007
【図６】
2010041660.tif 000008
【図７】
2010041660.tif 000009
【図８】
2010041660.tif 000010
【図９】
2010041660.tif 000011